(57)【要約】  移動通信システムにおける発呼端末と着呼端末との間の呼設定方法及び装置を提供する。発呼側の無線ネットワーク制御器からサービス要求メッセージを受信し、着呼側の無線ネットワーク制御器に着信要求メッセージを伝送するステップと、着呼側の無線ネットワーク制御器からサービス確認メッセージを受信する前に、発呼側の無線ネットワーク制御器に第１のサービス接続路の設定要求を伝送するステップと、着呼側の無線ネットワーク制御器から着信要求に対応するサービス確認メッセージを受信し、発呼側の無線ネットワーク制御器から第１のサービス接続路の設定要求に対応する第１のサービス接続路の設定応答を受信した後、着呼側の無線ネットワーク制御器に第２のサービス接続路の設定要求を伝送するステップと、着呼側の無線ネットワーク制御器から上記第２のサービス接続路の設定要求に対応する第２のサービス設定応答を受信するステップと、を含む。
2007538457.tif 000002
【特許請求の範囲】
【請求項１】
移動通信システムにおける発呼端末と着呼端末との間の呼設定方法において、
発呼側の無線ネットワーク制御器からサービス要求メッセージを受信し、着呼側の無線ネットワーク制御器に着信要求メッセージを伝送するステップと、
前記着呼側の無線ネットワーク制御器からサービス確認メッセージを受信する前に、前記発呼側の無線ネットワーク制御器に第１のサービス接続路の設定要求を伝送するステップと、
前記着呼側の無線ネットワーク制御器から前記着信要求に対応するサービス確認メッセージを受信し、前記発呼側の無線ネットワーク制御器から前記第１のサービス接続路の設定要求に対応する第１のサービス接続路の設定応答を受信した後、前記着呼側の無線ネットワーク制御器に第２のサービス接続路の設定要求を伝送するステップと、
前記着呼側の無線ネットワーク制御器から前記第２のサービス接続路の設定要求に対応する第２のサービス設定応答を受信するステップと、を含むことを特徴とする移動通信システムにおける呼設定方法。
【請求項２】
前記サービス要求メッセージを通じて要求されたサービスが、前記着呼端末が基本的に支援可能なサービスであるかどうかを判断し、該サービスが前記基本的に支援可能なサービスであると、前記発呼側の無線ネットワーク制御器に前記第１のサービス接続路の設定要求を伝送することを特徴とする請求項１に記載の移動通信システムにおける呼設定方法。
【請求項３】
前記着呼側の無線ネットワーク制御器から前記着信要求に対応するサービス確認メッセージが受信されないと、前記発呼側の無線ネットワーク制御器との間に設定されているサービス接続路を介して利用不可という旨の案内放送を流すステップをさらに含むことを特徴とする請求項１に記載の移動通信システムにおける呼設定方法。
【請求項４】
前記基本的に支援可能なサービスは、ＡＭＲ１２．２ｋｂｐｓ音声サービスであることを特徴とする請求項２に記載の移動通信システムにおける呼設定方法。
【請求項５】
前記着信要求メッセージと第１のサービス接続路の設定要求は、実質的に同時に伝送されることを特徴とする請求項１に記載の移動通信システムにおける呼設定方法。
【請求項６】
移動通信システムにおける発呼端末と着呼端末との間の呼設定装置において、
発呼側の無線ネットワーク制御器からサービス要求メッセージとサービス接続路の設定応答メッセージを受信する受信部と、
着呼側の無線ネットワーク制御器からのサービス確認メッセージの受信有無と、発呼側の無線ネットワーク制御器からの第１のサービス接続路の設定応答メッセージの受信有無を判断する制御部と、
前記サービス要求メッセージに対応して、前記発呼側の無線ネットワーク制御器に第１のサービス接続路の設定要求メッセージを伝送し、前記サービス確認メッセージと前記第１のサービス接続路の設定応答メッセージが受信された場合、前記着呼側の無線ネットワーク制御器に第２のサービス接続路の設定要求メッセージを伝送する伝送部と、を備えることを特徴とする移動通信システムにおける呼設定装置。
【請求項７】
前記制御部は、さらに、前記サービス要求メッセージを通じて要求されたサービスが、前記着呼端末が基本的に支援可能なサービスであるかどうかを判断し、該サービスが前記基本的に支援可能なサービスであると、前記発呼側の無線ネットワーク制御器に前記第１のサービス接続路の設定要求を前記伝送部を介して伝送することを特徴とする請求項６に記載の移動通信システムにおける呼設定装置。
【請求項８】
前記基本的に支援可能なサービスは、ＡＭＲ１２．２ｋｂｐｓ音声サービスであることを特徴とする請求項７に記載の移動通信システムにおける呼設定装置。
【請求項９】
前記制御部は、さらに、前記着呼側の無線ネットワーク制御器から前記サービス接続路の設定要求に対応する応答メッセージが受信されないと、前記発呼側の無線ネットワーク制御器との間に設定されている第１のサービス接続路を介して利用不可という旨の案内放送を流すことを特徴とする請求項６に記載の移動通信システムにおける呼設定装置。
【請求項１０】
前記伝送部は、着呼側の無線ネットワーク制御器への着信要求メッセージの伝送と実質的に同時に、第１のサービス接続路の設定要求を伝送することを特徴とする請求項６に記載の移動通信システムにおける呼設定装置。
【請求項１１】
前記伝送部は、前記サービス確認メッセージを受信する前に、第１のサービス接続路の設定要求を伝送することを特徴とする請求項６に記載の移動通信システムにおける呼設定装置。
【発明の詳細な説明】
【技術分野】
【０００１】
本発明は移動通信システムに係り、特に、移動交換機（ＭＳＣ：Mobile Switching Center、以下、「ＭＳＣ」と称する。）における呼設定方法及び装置に関する。
【背景技術】
【０００２】
移動通信システムにおける移動端末と移動端末同士のサービスの提供のための呼設定では、これらの端末が無線資源を通じて通話路を設定するといった過程が必須とされている。かかる呼設定手順は、標準に明示されている手順に沿うよう規定されている。韓国において汎用されている同期式の移動通信システムとは異なり、ヨーロッパ型方式と呼ばれる非同期式の移動通信システムにおいては、制御情報を伝送する無線区間接続路の設定と、ユーザートラフィックを伝送するサービス接続路の設定といった２段階の手順を経て設定を行うように定義されている。このため、発呼を試みる端末と着呼端末が、それぞれ無線区間接続路の設定手順とユーザーサービス接続路の設定手順を行う。
【０００３】
図１は、通常の非同期移動通信網の例示図である。これを参照すると、通常の非同期移動通信網は、発呼端末１００と、無線区間接続路を設定する基地局１０５と、上記基地局１０５を介して上記無線区間接続路を制御する無線ネットワーク制御器（Radio Network Control、以下、「ＲＮＣ」と称する。）１１５と、着呼端末１３５に無線区間接続路を設定する基地局１３０と、上記基地局１３０を介して上記無線区間接続路を制御するＲＮＣ１２５と、上記ＲＮＣ１１５、１２５間におけるサービス接続を可能にするＭＳＣ１２０とからなり、ユーザーは上記端末１００、１３５を用いて通話可能である。
【０００４】
上記基地局１０５、１１０、１３０は、所定の場所に位置する１以上の送受信機により構成されて、端末１００、１３５と無線通信を行う。上記ＲＮＣ１１５、１２５は、上記基地局１０５、１１０、１３０を制御する装置であって、上記基地局１０５、１１０、１３０及び上記ＭＳＣ１２０とは、無線区間接続路とサービス接続路の設定に関するメッセージを互いにやり取りする。
【０００５】
図２は、従来の移動通信システムにおける呼設定方式を示す図であって、同図は図１の構成に準拠している。ここで、従来の技術による動作を理解する上で必要とされる部分だけを説明するために、発呼・着呼端末と基地局との間における呼設定手順は省略している。ステップＳ２０５において、ＲＮＣ１１５の制御下で、発呼を試みる端末と基地局と間における無線区間設定（Radio Resource Control Setup：ＲＲＣ setup）を行い、ステップＳ２１０において、上記ＲＮＣ１１５がＭＳＣ１２０にサービス要求メッセージを伝送すると、上記ＭＳＣ１２０は上記サービス要求メッセージを受け取り、ステップＳ２１５において、着呼端末１３５が位置している地域のＲＮＣ１２５に着信要求メッセージを伝送する。ステップＳ２２０において、上記ＲＮＣ１２５が上記着呼端末１３５と基地局との間における無線区間設定を行った後、ステップＳ２２５において、発呼側の端末から要求したサービスに対する着呼側の端末の受け入れ可否を示す着呼端末からのサービス確認メッセージを上記ＭＳＣ１２０に受け渡す。上記サービス確認メッセージを受け取ったＭＳＣ１２０は、ステップＳ２３０において、ＲＮＣ１１５に、上記サービスの種別によって端末と基地局との間におけるユーザートラフィックの伝搬のためのサービス接続路の設定要求メッセージを伝送する。ステップＳ２３５において、上記ＲＮＣ１１５が、上記ＭＳＣ１２０の要求メッセージに基づいて上記ＭＳＣ１２０と上記ＲＮＣ１１５及び端末１００との間におけるユーザートラフィックを伝搬するためのサービス接続路の設定を行い、ステップＳ２４０において、上記ＭＳＣ１２０にサービス接続路の設定応答メッセージを伝送する。そうすると、ステップＳ２４５において、上記ＭＳＣ１２０が、上記ＲＮＣ１２５に対してサービス接続路の設定を要求するようになる。ステップＳ２５０において、上記ＲＮＣ１２５が、上記発呼側の端末１３５と上記ＭＳＣ１２０との間におけるサービス接続路の設定を行った後、ステップＳ２５５において、上記ＲＮＣ１２５が、上記ＭＳＣ１２０に対してサービス接続路を設定した旨の応答をすることで呼設定を完了する。その後、着呼端末が呼び出しに応答すると、ステップＳ２６０において通話が始まる。
【０００６】
一方、上記無線区間接続路の設定（ステップＳ２２０）に際し、着呼端末の応答がないと、上記ＭＳＣ１２０は、所定の時間が経過した後、利用不可という旨の案内放送を伝送するために発呼端末へのサービス接続路を設定する。
【０００７】
このような従来の技術によるサービス接続設定では、発呼端末の無線区間接続路の設定手順（ステップＳ２０５）と、着呼端末の無線区間接続路の設定手順（ステップＳ２２０）と、発呼端末のサービス接続路の設定手順（ステップＳ２３５）と、着呼端末のサービス接続路の設定手順（ステップＳ２５０）と、により構成され、上記４つの手順が順次に行われるようになっている。このため、発呼端末と着呼端末との間のサービス接続時間が長引いてしまうという不都合があった。
【発明の開示】
【発明が解決しようとする課題】
【０００８】
本発明は上記の事情に鑑みてなされたものであり、その目的は、移動通信システムにおける呼設定時間を短縮することのできる方法を提供するところにある。
【０００９】
本発明の他の目的は、移動通信システムにおいて、発呼端末のサービス接続路の設定手順と着呼端末の無線区間接続路の設定手順を同時に処理することのできる呼設定方法を提供するところにある。
【課題を解決するための手段】
【００１０】
上記した目的を達成するためになされた本発明の実施の形態は、移動通信システムにおける発呼端末と着呼端末との間の呼設定方法において、発呼側の無線ネットワーク制御器からサービス要求メッセージを受信し、着呼側の無線ネットワーク制御器に着信要求メッセージを伝送するステップと、上記着呼側の無線ネットワーク制御器からサービス確認メッセージを受信する前に、上記発呼側の無線ネットワーク制御器に第１のサービス接続路の設定要求を伝送するステップと、上記着呼側の無線ネットワーク制御器から上記着信要求に対応するサービス確認メッセージを受信し、上記発呼側の無線ネットワーク制御器から上記第１のサービス接続路の設定要求に対応する第１のサービス接続路の設定応答を受信した後、上記着呼側の無線ネットワーク制御器に第２のサービス接続路の設定要求を伝送するステップと、上記着呼側の無線ネットワーク制御器から上記第２のサービス接続路の設定要求に対応する第２のサービス設定応答を受信するステップと、を含むことを特徴とする。
【００１１】
本発明の他の実施の形態は、移動通信システムにおける発呼端末と着呼端末との間の呼設定装置において、発呼側の無線ネットワーク制御器からサービス要求メッセージとサービス接続路の設定応答メッセージを受信する受信部と、着呼側の無線ネットワーク制御器からのサービス確認メッセージの受信有無と、発呼側の無線ネットワーク制御器からの第１のサービス接続路の設定応答メッセージの受信有無を判断する制御部と、上記サービス要求メッセージに対応して、上記発呼側の無線ネットワーク制御器に第１のサービス接続路の設定要求メッセージを伝送し、上記サービス確認メッセージと上記第１のサービス接続路の設定応答メッセージが受信された場合、上記着呼側の無線ネットワーク制御器に第２のサービス接続路の設定要求メッセージを伝送する伝送部と、を備えることを特徴とする。
【発明の効果】
【００１２】
本発明の移動通信システムにおける発呼端末と着呼端末との間における呼設定方法によれば、移動交換機において着信要求メッセージとサービス接続路の設定要求メッセージを同時間帯に伝送することにより、発呼端末と着呼端末との間における呼設定時間を短縮することが可能になるという利点がある。また、着呼端末からの応答メッセージが受信されないと、発呼端末との間に既に設定されているサービス接続路を用いて利用不可という旨の案内放送をより速やかに伝送することができる。
【発明を実施するための最良の形態】
【００１３】
以下、添付した図面に基づき、本発明に係る好適な実施の形態を詳細に説明する。本発明を説明するに当たって、関連する公知の機能あるいは構成についての詳細な説明が本発明の要旨を余計に曖昧にすると認められる場合、その詳細な説明を省く。
【００１４】
後述する本発明は、発呼端末と着呼端末との間における呼設定方法において、発呼端末のサービス接続路の設定手順と着呼端末の無線区間接続路の設定手順を同時に処理することを特徴とする。
【００１５】
図２において、着呼端末のサービス確認を受信した上で、発呼端末のサービス接続路の設定を行わせる理由は、着呼端末において支援可能なサービス能力と発呼端末から要求されたサービス能力との間に差異がある場合、着呼端末において支援可能なサービス能力をＭＳＣに伝えて、協議の下でサービスを支援するようになっているからである。しかしながら、音声サービスなどはあらゆる端末が基本的に支援可能となっているため、ＭＳＣは、発呼端末が要求するサービスの種別が音声サービスであることを確認すると、着呼端末からサービス確認を受信することなく、発呼端末のサービス接続路の設定を先に行い、通話可能な状態にすることができる。
【００１６】
例えば、非同期式のシステムでは、当該端末が支援可能なサービスが多数存在する。しかしながら、１２．２ＫｂｐｓのＡＭＲ（Adaptive Multi-Rate）音声サービスは、あらゆる端末が基本的に支援しているため、発呼端末から要求されたサービスの種別が１２．２ｋｂｐｓのＡＭＲ音声サービスであると、ＭＳＣは、発呼端末のサービス接続路を上記ＡＭＲによって設定する。
【００１７】
図３は、本発明による移動通信システムにおける呼設定方式を示す図である。
【００１８】
ステップＳ３２０において、発呼を試みる端末１００がＲＮＣ１１５を介して無線区間の設定を行った後、ステップＳ３２５において、ＭＳＣ１２０にサービス要求メッセージを伝送すると、上記ＭＳＣ１２０は、着呼端末１３５が位置している地域のＲＮＣ１２５を介して、ステップＳ３３０において、上記着呼端末１３５に着信要求メッセージを伝送する。上記ＭＳＣ１２０は、上記サービス要求が音声通話サービスの要求であることを確認すると、ステップＳ３３５においては、発呼ＲＮＣ１１５に予め定められたサービス接続路の設定要求メッセージを直ちに伝送する。ここで、「直ちに」とは、図２に示す場合とは異なり、着呼側のＲＮＣからのサービス確認を受信しないままで、サービス接続路の設定要求を上記ＭＳＣ１２０に伝送することを意味する。
【００１９】
ステップＳ３４０において、上記発呼ＲＮＣ１１５は、上記要求メッセージを受信して、発呼側の端末１００と上記ＭＳＣ１２０との間におけるユーザートラフィックの伝搬のためのサービス接続路の設定を行い、ステップＳ３４５において、上記ＭＳＣ１２０にサービス接続路の設定応答メッセージを伝送する。これとは別に、着呼端末は、ステップＳ３５０において、ＲＮＣ１２５により無線区間の設定を行う。また、ステップＳ３５５において、上記ＲＮＣ１２５は、上記ＭＳＣ１２０に、サービス確認要求メッセージを伝送する。上記ＭＳＣ１２０は、着呼側のサービス確認と発呼側のサービス接続路の設定応答を受信した後、ステップＳ３６０において、ＲＮＣ１２５にサービス接続路の設定要求メッセージを伝送する。ステップＳ３６５において、上記ＲＮＣ１２５は、着呼側の端末１３５と上記ＭＳＣ１２０との間におけるユーザートラフィックの伝搬のためのサービス接続路の設定を行い、ステップＳ３７０において、上記ＭＳＣ１２０に対しサービス接続路を設定した旨の応答を伝送し、呼設定を完了する。その後、着呼端末が呼び出しに応答すると、ステップＳ３７５において通話が始まる。
【００２０】
ところが、上記着呼端末から応答がないと、上記ＭＳＣ１２０は、上記発呼端末に接続されているサービス接続路を用いて、利用不可という旨の案内放送を流す。さらに、上記ステップＳ３５５におけるサービス確認がない場合にも、接続されているサービス接続路を用いて速やかに利用不可という旨の案内放送を流すことができる。
【００２１】
この発明と従来の技術とに最もと異なる点は、図２に示すように、従来では着呼端末のサービス確認の手順後にはじめて発呼端末のサービス接続路の設定手順（ステップＳ２３５）を行ったのに対し、図３に示すように本発明では着呼端末の無線区間接続路の設定手順（ステップＳ３５０）と発呼端末のサービス接続路の設定手順（ステップＳ３４０）とを同時に行うのである。
【００２２】
而して、本発明によるサービス接続設定では、発呼端末の無線区間接続路の設定手順（ステップＳ３２０）後に、着呼端末の無線区間接続路の設定手順（ステップＳ３５０）と発呼端末のサービス接続路の設定手順（ステップＳ３４０）を同時に行い、着呼端末のサービス接続路の設定手順（ステップＳ３６５）を行うようになる。
【００２３】
図４は、本発明の実施の形態による移動交換機の動作を示すフローチャートである。
【００２４】
ステップＳ４００において、ＭＳＣが発呼ＲＮＣよりサービス要求メッセージを受信すると、上記ＭＳＣは、ステップＳ４０５において、着呼端末に向けて着信要求メッセージを伝送し、ステップＳ４１０において、上記要求されたサービスが音声サービスであるか、あるいは、動画像サービスであるかを判断する。このとき、基本的な音声サービス（例えば、非同期式のＡＭＲや同期式のＱＣＥＬＰ（Qualcomm Code Excited Linear Predictive）など）ではなく、動画像サービスに対する要求であると、ステップＳ４１５において、着呼側のＲＮＣからのサービス確認メッセージを待つ。上記サービス確認メッセージを受信すると、ステップＳ４２０へ進む。このステップＳ４２０において、上記ＭＳＣは、サービス接続路の設定要求を発呼側のＲＮＣに伝送する。ステップＳ４２５において、上記発呼側のＲＮＣからサービス接続路の設定応答メッセージを受信すると、同様に、ステップＳ４３０において、サービス接続路の設定要求を上記着呼側のＲＮＣに伝送する。ステップＳ４３５において、サービス接続路を設定した旨の応答をすることで呼設定を完了し、通話可能状態にする。
【００２５】
これに対し、上記ステップＳ４１０において、音声サービス設定要求を受信すると、上記音声サービスは、上記着呼端末において基本的に支援しているため、ステップＳ４５０において、上記ＭＳＣは、着呼側の端末のサービス確認を待つことなく、発呼端末のサービス接続路の設定要求メッセージを発呼ＲＮＣに伝送する。この場合、着呼端末の無線区間接続路の設定手順と上記発呼端末のサービス接続路の設定手順がほぼ同時に行われる。ステップＳ４５５において、上記発呼側のＲＮＣからのサービス接続路の設定応答と、上記着呼側のＲＮＣからのサービス確認メッセージとの両方とも受信されるまで待つ。ここで、発呼側のサービス接続路の設定時間や着呼側の無線区間の設定時間によって、上記応答及びサービス確認メッセージの受信時間がやや異なることがある。発呼側のＲＮＣからのサービス接続路の設定応答と、上記着呼側のＲＮＣからのサービス確認メッセージとの両方が受信されると、ステップＳ４３０へ進み、そうでなければ、ステップＳ４５５へ戻る。上記ステップＳ４３０において、上記ＭＳＣは、着呼側のＲＮＣに、サービス接続路の設定要求メッセージを送り、ステップＳ４３５において、サービス接続路の設定応答を受信することで呼設定を完了する。
【００２６】
図５は、本発明の実施の形態による移動交換機の構造を示す図である。
【００２７】
図５を参照すると、受信部５１０は、発呼側のＲＮＣと着呼側のＲＮＣから伝送されるメッセージを受信するモジュールとして、上記メッセージには、例えば、発呼側のＲＮＣから伝送されるサービス要求メッセージと、サービス接続路の設定後に伝送されるサービス接続路の設定応答メッセージとがある。また、受信部５１０は、着呼側のＲＮＣから着呼側の端末がサービス可能であるか否かを示すサービス確認メッセージとサービス接続路の設定応答メッセージとを受信する。
【００２８】
制御部５２０は、受信部５１０から受信されたサービス要求メッセージにより要求されたサービスが着呼側の端末が基本的に支援可能なサービスであるかを判断し、例えば、ＡＭＲ１２．２ｋｂｐｓの音声サービスであれば、発呼側の無線ネットワーク制御器に送信するためのサービス接続路設定要求メッセージを伝送部５３０に伝達する。
【００２９】
また、着呼側の無線ネットワーク制御器から上記サービス接続路の設定要求に対応する応答サービスが受信されないと、制御部５２０は発呼側のＲＮＣとの間に設定したサービス接続路を通じて利用不能案内放送を提供する。
【００３０】
伝送部５３０は、発呼側のＲＮＣと着呼側のＲＮＣにメッセージを伝送するモジュールとして、制御部５２０から伝送されたサービス接続路の設定要求メッセージを発呼側のＲＮＣに伝送し、上記サービス確認メッセージの受信に従う着呼要求メッセージとサービス接続路の設定要求メッセージを着呼側のＲＮＣに伝送する役割を遂行する。
【００３１】
なお、本発明の詳細な説明においては、具体的な実施の形態について説明したが、本発明の範囲から逸脱することなく種々の変形が可能であることは言うまでもない。具体的に、この明細書においては、非同期式のシステムに限定して説明を進めてきたが、本発明の技術的な特徴は、これと類似する構成を持つ他の種類の移動通信システムにも適用可能である。よって、本発明の範囲は、上述した実施の形態に限定されるものではなく、特許請求の範囲とその均等物によって定められるべきである。
【図面の簡単な説明】
【００３２】
【図１】通常の移動通信システムの例示図。
【図２】従来の移動通信システムにおける呼設定方式を示す図。
【図３】本発明の実施の形態による移動通信システムにおける呼設定方式を示す図。
【図４】本発明の実施の形態による移動交換機の動作を示すフローチャート。
【図５】本発明の実施の形態による移動交換機の構造を示す図。
【符号の説明】
【００３３】
１１５：無線ネットワーク制御器（ＲＮＣ）
１２０：移動交換機（ＭＳＣ）
１２５：無線ネットワーク制御器（ＲＮＣ）
【図１】
2007538457.tif 000003
【図２】
2007538457.tif 000004
【図３】
2007538457.tif 000005
【図４】
2007538457.tif 000006
【図５】
2007538457.tif 000007
【国際調査報告】
2007538457.tif 000008
2007538457.tif 000009